(57)【要約】      （修正有）【課題】消臭剤が付与されたトイレットペーパーの製造方法を提供する。【解決手段】トイレットペーパー原紙７１Ａ、７１Ｂにエンボスを付与するにあたり、エンボスロール２１Ａ、２１Ｂに対してトイレットペーパー原紙７１Ａ、７１Ｂとの接触に先立ち、転写ロール２５Ａ、２５Ｂによってそのエンボス付与凸部の頂部のみに消臭剤を付与しておき、エンボス付与と同時にトイレットペーパー原紙７１Ａ、７１Ｂに消臭剤を付与し、エンボス及び消臭剤が付与されたトイレットペーパー原紙７１Ａ、７１Ｂを、エンボスロール２１Ａ、２１Ｂから離すとともに、エンボスロール２１Ａ、２１Ｂに対面する面と反対の面を、別のトイレットペーパー原紙７１Ｂ、７１Ａと対面させて積層してトイレットペーパー７とする。【選択図】図３
2014198092.tif 000002
【特許請求の範囲】
【請求項１】
消臭剤が付与されたトイレットペーパーの製造方法であって、
表面に多数のエンボス付与凸部が配されているエンボスロールとこのエンボスロールと対をなす受けロールとの間に、トイレットペーパー原紙を通してエンボスを付与するにあたり、前記エンボスロールに対してトイレットペーパー原紙との接触に先立ち、ロール転写によってそのエンボス付与凸部の頂部のみに消臭剤を付与しておき、エンボス付与と同時にトイレットペーパー原紙に消臭剤を付与し、
前記エンボス及び消臭剤が付与されたトイレットペーパー原紙を、エンボスロールから離すとともに、そのエンボスロールに対面する面と反対の面を、別のトイレットペーパー原紙と対面させて積層して、トイレットペーパーとする、ことを特徴とするトイレットペーパーの製造方法。
【請求項２】
前記別のトイレットペーパー原紙にもエンボスの付与と消臭剤の付与とを同様に行ない、各トイレットペーパー原紙のエンボスロールと対面する面と反対面同士を対面させて積層する請求項１記載のトイレットペーパーの製造方法。
【請求項３】
消臭剤が、有効成分としてポリフェノールを含むポリフェノール系消臭剤であり、その有効成分を０．０００１〜１．０ｇ/ｍ2付与する、請求項１又は２記載のトイレットペーパーの製造方法。
【請求項４】
トイレットロールの複数倍幅以上の幅の長尺の紙管を形成する紙管形成工程と、
ワインダーにて長尺の紙管にトイレットロールの複数倍幅以上の幅のトイレットペーパーを巻いてログを形成する工程と、
ログを切断して個々のトイレットロールにするログ裁断工程と、を有し、
前記ログ形成工程のワインダーにおいて； 
原反ロールからトイレットペーパー原紙を繰り出し、表面に多数のエンボス付与凸部が配されているエンボスロールとこのエンボスロールと対をなす受けロールとの間に、トイレットペーパー原紙を通してエンボスを付与するにあたり、前記エンボスロールに対してトイレットペーパー原紙との接触に先立ち、ロール転写によってそのエンボス付与凸部の頂部のみに消臭剤を付与しておき、エンボス付与と同時にトイレットペーパー原紙に消臭剤を付与し、前記エンボス及び消臭剤が付与されたトイレットペーパー原紙を、そのエンボスロールに対面する面と反対の面を、別のトイレットペーパー原紙と対面させて積層してトイレットペーパーとする、ことを特徴とするトイレットロールの製造方法。
【請求項５】
前記別のトイレットペーパー原紙にもエンボスの付与と消臭剤の付与とを同様に行ない、各トイレットペーパー原紙のエンボスロールと対面する面と反対面同士を対面させて積層する請求項４記載のトイレットロールの製造方法。
【請求項６】
消臭剤が、有効成分としてポリフェノールを含むポリフェノール系消臭剤であり、その有効成分を０．０００１〜１．０ｇ/ｍ2付与する、請求項４又は５記載のトイレットロールの製造方法。
【請求項７】
消臭剤が付与されたトイレットペーパーが紙管に巻かれたトイレットロールであって、
前記トイレットペーパーは、複数のトイレットペーパー原紙が積層されたものであり、
前記トイレットペーパー原紙にエンボスが付与され、そのエンボスの凸部が積層内面側に位置し、その凸部に対応する凹部が積層外面側に位置するようにして積層され、エンボスが付与されたトイレットペーパー原紙のエンボスの凹部底部にポリフェノールを有効成分とする消臭剤が付与され、かつ、その有効成分の付与量が０．０００１〜１．０ｇ/ｍ2である、ことを特徴とするトイレットロール。
【発明の詳細な説明】
【技術分野】
【０００１】
本発明は、トイレットペーパーの製造方法、帯状のトイレットペーパーが紙管に巻かれたトイレットロール、及びそのトイレットロールの製造方法に関する。
【背景技術】
【０００２】
従来、トイレ空間の消臭を目的としてトイレットロールに消臭剤を付与することが提案されている。例えば、トイレットペーパーの巻終わりを接着するテールシール糊に消臭剤を含ませる方法や、紙管内面に消臭剤を塗布する方法等が提案されている。しかし、前者のものは使用開始と同時に消臭剤付与部分が使用されてしまうため、消臭効果の持続性に問題がある。後者のものは、消臭剤の付与位置が紙管という限られた部位であるため臭気成分との消臭剤との接触機会が十分ではなく、消臭機能のさらなる向上が求められるものであった。
【０００３】
一方、トイレットロールを構成するトイレットペーパーに消臭剤を付与することが考えられる。トイレットペーパーに消臭剤を付与することができれば、臭気成分との接触機会は格段に向上する。
【０００４】
しかし、トイレットペーパーは、使用時に直接肌に触れるものであるため、使用時に消臭剤が肌に触れてしまうことを嫌う消費者がいる。また、保湿剤等と比較すると消臭剤は付与量が少ないためトイレットペーパーの全面に適量均一に付与することが難しい。さらに、表面全体に塗布するとトイレットペーパーの風合いを低下させるおそれもある。
【０００５】
また、消臭剤の中には、有機酸などアンモニア等のトイレ空間の主たる悪臭成分に対して優れた消臭効果を奏するものがあるが、このような酸はトイレットロールの製造装置内の鉄部材を錆びさせる。これについては、製造装置内の鉄部材をステンレスやクロムメッキ性製のものへ変更したり、清掃頻度を高めることによりある程度は防止できることであるが、費用や手間が非常にかかる。
【０００６】
このように、十分な消臭効果を発揮する程度に消臭剤をトイレットペーパーに付与することは困難であった。
【先行技術文献】
【特許文献】
【０００７】
【特許文献１】特開２００９−２４２１０７号公報
【特許文献２】特開２００９−２４２０６５号公報
【特許文献３】特開２００９−２４２０１９号公報
【特許文献４】特開２０１２−２１３５０８号公報
【特許文献５】特開２００９−１７８４５４号公報
【特許文献６】特開２０１２−１７０６５９号公報
【発明の概要】
【発明が解決しようとする課題】
【０００８】
そこで、本発明の主たる課題は、使用時に消臭剤が肌に触れがたく、しかも、製造が容易な消臭剤が付与されたトイレットペーパーの製造方法、係る消臭剤が付与されたトイレットペーパーを有するトイレットロール、及び係るトイレットロールを生産性よく製造することができるトイレットロールの製造方法を提供することにある。
【課題を解決するための手段】
【０００９】
上記課題を解決した本発明は次記のとおりである。
〔請求項１記載の発明〕
消臭剤が付与されたトイレットペーパーの製造方法であって、
表面に多数のエンボス付与凸部が配されているエンボスロールとこのエンボスロールと対をなす受けロールとの間に、トイレットペーパー原紙を通してエンボスを付与するにあたり、前記エンボスロールに対してトイレットペーパー原紙との接触に先立ち、ロール転写によってそのエンボス付与凸部の頂部のみに消臭剤を付与しておき、エンボス付与と同時にトイレットペーパー原紙に消臭剤を付与し、
前記エンボス及び消臭剤が付与されたトイレットペーパー原紙を、エンボスロールから離すとともに、そのエンボスロールに対面する面と反対の面を、別のトイレットペーパー原紙と対面させて積層して、トイレットペーパーとする、ことを特徴とするトイレットペーパーの製造方法。
【００１０】
〔請求項２記載の発明〕
前記別のトイレットペーパー原紙にもエンボスの付与と消臭剤の付与とを同様に行ない、各トイレットペーパー原紙のエンボスロールと対面する面と反対面同士を対面させて積層する請求項１記載のトイレットペーパーの製造方法。
【００１１】
〔請求項３記載の発明〕
消臭剤が、有効成分としてポリフェノールを含むポリフェノール系消臭剤であり、その有効成分を０．０００１〜１．０ｇ/ｍ2付与する、請求項１又は２記載のトイレットペーパーの製造方法。
【００１２】
〔請求項４記載の発明〕
トイレットロールの複数倍幅以上の幅の長尺の紙管を形成する紙管形成工程と、
ワインダーにて長尺の紙管にトイレットロールの複数倍幅以上の幅のトイレットペーパーを巻いてログを形成する工程と、
ログを切断して個々のトイレットロールにするログ裁断工程と、を有し、
前記ログ形成工程のワインダーにおいて； 
原反ロールからトイレットペーパー原紙を繰り出し、表面に多数のエンボス付与凸部が配されているエンボスロールとこのエンボスロールと対をなす受けロールとの間に、トイレットペーパー原紙を通してエンボスを付与するにあたり、前記エンボスロールに対してトイレットペーパー原紙との接触に先立ち、ロール転写によってそのエンボス付与凸部の頂部のみに消臭剤を付与しておき、エンボス付与と同時にトイレットペーパー原紙に消臭剤を付与し、前記エンボス及び消臭剤が付与されたトイレットペーパー原紙を、そのエンボスロールに対面する面と反対の面を、別のトイレットペーパー原紙と対面させて積層してトイレットペーパーとする、ことを特徴とするトイレットロールの製造方法。
【００１３】
〔請求項５記載の発明〕
前記別のトイレットペーパー原紙にもエンボスの付与と消臭剤の付与とを同様に行ない、各トイレットペーパー原紙のエンボスロールと対面する面と反対面同士を対面させて積層する請求項４記載のトイレットロールの製造方法。
【００１４】
〔請求項６記載の発明〕
消臭剤が、有効成分としてポリフェノールを含むポリフェノール系消臭剤であり、その有効成分を０．０００１〜１．０ｇ/ｍ2付与する、請求項４又は５記載のトイレットロールの製造方法。
【００１５】
〔請求項７記載の発明〕
消臭剤が付与されたトイレットペーパーが紙管に巻かれたトイレットロールであって、
前記トイレットペーパーは、複数のトイレットペーパー原紙が積層されたものであり、
前記トイレットペーパー原紙にエンボスが付与され、そのエンボスの凸部が積層内面側に位置し、その凸部に対応する凹部が積層外面側に位置するようにして積層され、エンボスが付与されたトイレットペーパー原紙のエンボスの凹部底部にポリフェノールを有効成分とする消臭剤が付与され、かつ、その有効成分の付与量が０．０００１〜１．０ｇ/ｍ2である、ことを特徴とするトイレットロール。
【発明の効果】
【００１６】
以上の本発明によれば、使用時に消臭剤が肌に触れがたく、しかも、製造が容易な、消臭剤が付与されたトイレットペーパーの製造方法、係る消臭剤が付与されたトイレットペーパーを有するトイレットロール、及び係るトイレットロールを生産性よく製造することができるトイレットロールの製造方法が提供される。
【図面の簡単な説明】
【００１７】
【図１】本発明の実施形態のトイレットロールの製造方法を説明するための図である。
【図２】実施形態に係る紙管の形成過程を説明するための図である。
【図３】実施形態に係る消臭剤の付与を説明するための図である。
【図４】実施形態に係る消臭剤の付与を説明するための断面図である。
【図５】他の実施形態に係る消臭剤の付与を説明するための図である。
【図６】本実施形態に係るトイレットロールの斜視図である。
【図７】図６に示すトイレットロールに係るトイレットペーパーの断面図である。
【発明を実施するための形態】
【００１８】
本発明の実施形態を図１〜７を参照しながら以下に説明する。但し、本発明は、この実施形態に限られない。
【００１９】
［トイレットロール及びトイレットペーパーの製造方法］
本発明の実施形態に係るトイレットロール及びトイレットペーパーの製造方法例を特に図１〜図５を参照しながら説明する。但し、本発明のトイレットロール及びトイレットペーパーの製造方法は、この方法に必ずしも限定されるわけではない。なお、トイレットペーパーの製造方法は、トイレットロールの製造方法を説明するなかで適宜に説明される。
本実施形態のトイレットロールの製造方法は、図１に示すように、長尺の紙管３０を製造する紙管形成工程（Ａ）と、その長尺の紙管にトイレットペーパーを巻いてログを製造するログ形成工程（Ｂ）と、ログを裁断して個々のトイレットロールにするログ裁断工程（Ｃ）を有している。
【００２０】
（紙管形成工程（Ａ））
本実施形態の紙管形成工程では、図１中（Ａ）、図２に示すように、原反ロール３１Ａ，３２Ａから繰出された二枚の帯状の紙管原紙３１，３２のうち一方の紙管原紙３１の一方面に糊付けロール５１によって接着糊４４を付与し、前記一方の紙管原紙３１の糊付けされた面に他方の紙管原紙３２を幅方向に一部重ね、前記他方の紙管原紙３２の糊付け面と接しない面をマンドレルシャフト５２に対向する面、すなわち紙管内面となる面にして、各紙管原紙３１，３２をマンドレルシャフト５２に螺旋状に巻き付けて連続的に筒状部分３を形成し、その筒状部分３をトイレットロールの複数倍幅以上の幅でカッター５８によりカットして長尺のスパイラル紙管３０（スパイラル式紙管とも称される）を形成している。このスパイラル紙管は、一方の紙管原紙３１が紙管外面側、他方の紙管原紙３２が紙管内面側となる態様の二層積層構造となる。なお、本実施形態では、２枚の紙管原紙３１，３２をスパイラル巻きしているが、３枚以上の紙管原紙をスパイラル巻きして長尺の紙管を形成してもよい。また、本発明では、スパイラル紙管ではなく平巻き紙管とすることもできる。
【００２１】
紙管原紙３１に対する接着糊４４の付与量は特に限定されないが、塗布直後で８．０〜８０ｇ／ｍ2程度である。また、接着糊４４は、既知の紙管用のものを用いることができ、アクリル系接着剤、ホットメルト接着剤、澱粉糊、ＰＶＡ（ポリビニルアルコール）等が例示できる。
【００２２】
図示の形態では、各紙管原紙３１，３２のマンドレルシャフト５２への巻き付けは、一対のプーリー５３，５３間に巻き掛けられた平ベルト５４により、マンドレルシャフト５２上の所定部分に位置する筒状部分３に回転力を与え、その回転により紙管原紙３１，３２をマンドレルシャフト５２の軸心に対して所定角度で引き込んで、螺旋状に巻くようにしている。図示例では、一対のプーリー５３，５３を二機配置して二つの平ベルト５４，５４により、筒状部分３に回転力を与えているが、一機の一対のプーリーと平ベルトにより筒状部分に回転力を与えるようにしてもよい。また、図示しないが、筒状部分３に平ベルト５４ではなくロールを当接させて回転力を与えるようにしても、各紙管原紙３１，３２をマンドレルシャフト５２に巻き付けることができる。
【００２３】
このようにして長尺紙管３０を形成した後には、この長尺紙管３０をコンベア５５に供給して適宜の搬送経路で連続的又は断続的に次段のログ形成工程（Ｂ）におけるワインダーＸ２に供給していく。
【００２４】
（ログ形成工程（Ｂ））
上記の長尺の紙管３０の製造と平行して又はその後において、ログ形成工程（図１中（Ｂ）でワインダーＸ２によりログ７５を製造する。なお、ログ７５とは、最終製品であるトイレットロールの直径と同径でありかつ幅が最終製品の複数倍幅以上ある中間製品である。
【００２５】
ログ７５の形成は、紙管形成工程（Ａ）で製造した長尺の紙管３０をワインダーＸ２の巻き取り部８５にセットし、これと実質的に同幅又はそれよりも若干幅狭のトイレットペーパー７を巻き付けるようにして行なう。
【００２６】
本実施形態では、長尺紙管３０に巻き付けるトイレットペーパー７を、ワインダーＸ２において、複数のトイレットペーパー原紙７１Ａ，７１Ｂを積層して、連続的に形成していく。本実施形態では、図１、図３〜５に示すように、その過程で消臭剤を付与する。本実施形態では、トイレットペーパー７を形成しつつ消臭剤を付与するにあたって、トイレットペーパー原紙７１Ａ，７１Ｂを巻き取った複数の原反ロール７０Ａ，７０Ｂから、トイレットペーパー原紙７１Ａ，７１Ｂを適宜の速度で繰り出し、各トイレットペーパー原紙７１Ａ，７１Ｂをそれぞれ別途に、表面にエンボス形状に対応する多数のエンボス付与凸部が形成されたエンボスロール２１Ａ，２１Ｂと、このエンボスロール２１Ａ，２１Ｂを受ける受けロール２２Ａ，２２Ｂとで構成されるエンボス付与装置２０Ａ，２０Ｂに導いて、それらエンボスロール２１Ａ，２１Ｂと受けロール２２Ａ，２２Ｂとの間にトイレットペーパー原紙７１Ａ，７１Ｂを通して、各々のトイレットペーパー原紙７１Ａ，７１Ｂに別途にエンボスを付与するようにする。
【００２７】
このエンボスの付与に際しては、まずトイレットペーパー原紙７１Ａ，７１Ｂを受けロール２２Ａ，２２Ｂに巻き掛け、その受けロール２２Ａ、２２Ｂ上を搬送する過程でエンボスロール２１Ａ，２１Ｂとの間に通してエンボスを付与するようにし、そのエンボス付与後からトイレットペーパー原紙７１Ａ，７１Ｂがエンボスロール２１Ａ，２１Ｂに巻き掛けられた状態で下流へ搬送するようにする。
【００２８】
そして、トイレットペーパー原紙７１Ａ，７１Ｂがエンボスロール２１Ａ，２１Ｂに巻き掛けられている部分以外の部分において、このエンボスロール２１Ａ，２１Ｂのエンボス付与凸部の頂部のみに接するように配置した転写ロール２５Ａ，２５Ｂによって、エンボス付与凸部の頂部のみに消臭剤を含む消臭剤液を付与する。エンボスロール２１Ａ，２１Ｂは回転しているため、消臭剤が付与されたエンボス付与凸部は、受けロール２２Ａ，２２Ｂとの間に移動され、その受けロール２２Ａ，２２Ｂとの間に送り込まれるトイレットペーパー原紙７１Ａ，７１Ｂに対して、エンボスと消臭剤とを同時に付与する。すなわち、本実施形態では、エンボスロール２１Ａ，２１Ｂのエンボス付与凸部の頂部のみに、トイレットペーパー原紙７１Ａ，７１Ｂとの接触に先立ち、ロール転写によって消臭剤を付与しておき、エンボス付与と同時にトイレットペーパー原紙７１Ａ，７１Ｂに消臭剤を付与する。このようにすると、トイレットペーパー原紙７１Ａ，７１Ｂのエンボス凸部頂部２７Ａ，２７Ｂに対応する凹部底位置２６ａ，２６ｂのみに消臭剤が付与される。なお、図４中において消臭剤付与位置は符号２７Ａ，２７Ｂで示されている。
【００２９】
なお、図３、４に示す形態は、各エンボスロール２１Ａ，２１Ｂで各トイレットペーパー原紙７１Ａ，７１Ｂに対して消臭剤を転写しているが、図５に示すように、一方のトイレットペーパー原紙７１Ａに係るエンボス装置２０Ａのみロール転写設備２５Ａを配して、その一方のエンボスロール２０Ａを介してトイレットペーパー原紙７１Ａのみに消臭剤を付与するようにしてもよい。
【００３０】
このようにして消臭剤が付与されたトイレットペーパー原紙７１Ａ，７１Ｂは、次いで、前記エンボスロール２１Ａ，２１Ｂから離すとともに、その消臭剤が付与された面を、他の原反ロール７０Ａ（７０Ｂ）から繰り出され他のエンボス付与装置２０Ａ（２０Ｂ）で消臭剤を付与したトイレットペーパー原紙７１Ａ（７１Ｂ）に、消臭剤付与面を対面させて積層し、消臭剤が付与されたトイレットペーパー７とする。
【００３１】
図示の形態では、一方のエンボスロール２１Ｂから離れたトイレットペーパー原紙７１Ｂを他方のエンボスロール２１Ａに隣接して配されたマリッジロール２３に導いて、そのマリッジロール２３上で積層一体化するようにしている。但し、この図示の形態に限らず、エンボスロール２１Ａ，２１Ｂ同士をその周面が対面するように近接配置し、各エンボスロール２１Ａ，２１Ｂの周面が対面する位置において各トイレットペーパー原紙７１Ａ，７１Ｂの消臭剤塗布面が付き合わせられて積層一体化されるようにしてもよい。
【００３２】
積層一体化については、特に、図５に示すように、各トイレットペーパー原紙７１Ａ，７１Ｂのエンボス凸部の頂部２６Ａ，２６Ｂ同士が対面一致するようにして、所謂「Ｔｉｐ  Ｔｏ  Ｔｉｐ」の形態で積層するようにしてもよいし、図には示さないが、エンボス凸部の頂部同士が対面一致していない所謂「Ｎｅｓｔｅｄ」の形態で積層してもよい。これらは、エンボスのパターンを「Ｔｉｐ  Ｔｏ  Ｔｉｐ」用、「Ｎｅｓｔｅｄ」用として選択して実施することができる。
【００３３】
また、図示の形態では、好ましい形態として、トイレットペーパー原紙７１Ａ，７１Ｂがエンボスロール２１Ａ，２１Ｂ上を搬送されている際に、エンボスロール２１Ａ，２１Ｂのエンボス付与凸部の頂部にのみ接するように配置したラミネート糊転写ロール２８Ａによってトイレットペーパー原紙７１Ａ，７１Ｂの表面にラミネート糊を付与している。トイレットペーパー原紙７１Ａ，７１Ｂは、エンボス付与時における押圧によってエンボスロール２１Ａ，２１Ｂの表面凹凸形状に応じた形状に変形された状態でエンボスロール表面に配されているため、このようにするとトイレットペーパー原紙７１Ａ，７１Ｂのエンボス凸部頂部の位置のみにラミネート糊が付与される。このようにラミネート糊を付与すると、図４に示すように積層した際に、そのエンボス凸部頂部に配されたラミネート糊によって、各トイレットペーパー原紙同士が接着された態様で積層一体化されることになり、プライ剥離が防止されるようになる。但し、本発明においては、必ずしもラミネート糊、各トイレットペーパー原紙を接着する必要はない。
【００３４】
なお、図示の形態は、２つのロール７０Ａ、７０Ｂから一枚のトイレットペーパー原紙７１Ａ、７１Ｂを繰り出し、積層して２プライ構造のトイレットペーパー７を形成する過程を示しているが、本発明に係るトイレットペーパー原紙７１Ａ，７１Ｂは、一枚に限られるものではない。例えば、予め積層されたシートを巻き取った原反ロールから複数枚重ねられたトイレットペーパー原紙を繰り出すようにしてもよいし、エンボス付与装置の直前で複数枚を重ねて重ね合わせのトイレットペーパー原紙としてもよい。したがって、本発明のトイレットペーパーは、２プライに限定されず、３プライ以上とすることができる。さらには、複数プライ構造とする場合には、各プライの米坪や物性等は同じである必要もない。また、図示の形態では、各トイレットペーパー原紙を各原反ロールから繰出した後に重ね合わせ部７８で一度積層した後、エンボス付与装置２０Ａ，２０Ｂの直前で再剥離するように構成されているが、必ずしもこのように搬送路を構成する必要はない。但し、このようにすると搬送経路が簡素化されるため望ましい。さらに、本実施形態では、各原反ロールから繰出されたトイレットペーパー原紙のそれぞれにエンボスの付与と消臭剤の付与を行なっているが、エンボス付与装置を一機のみとして、一方のトイレットペーパー原紙のみにエンボスと消臭剤を付与するようにしてもよい。
【００３５】
他方、本実施形態に係るトイレットペーパー７は、１プライ当り米坪が１１．０〜２５．０ｇ／ｍ2とするのが望ましい。この範囲であれば使用時の柔らかさや吸水性を確保できる。また、本実施形態に係るトイレットペーパー７は、パルプ繊維を９０％以上含むものであり、好ましくは９８％以上、より好ましくは１００％である。パルプ繊維としては、ＬＢＫＰ（広葉樹クラフトパルプ）、ＮＢＫＰ（針葉樹クラフトパルプ）が最も好ましく、特にＬＢＫＰとＮＢＫＰとから構成され、ＬＢＫＰの配合割合が５０％以上、好適には７０％以上であるのがよい。
【００３６】
ここで、本実施形態に係るエンボス付与装置２０Ａ，２０Ｂとしては、エンボスロールが金属性、受けロールが表面がゴムなどからなる弾性のものとするのが望ましい。所謂スチールラバー方式のものである。金属製のエンボスロールと表面弾性の受けロールの組み合わせが好ましいのは、ロールのクリアランス調整の問題や、幅方向でのエンボスの見た目の調整が容易などの不具合が生じ難いためである。なお、本実施形態では、ロール間の線圧は、エンボスパターンや消臭剤の付与量に応じて適宜調整すればよい。なお、金属製のエンボスロールを使用するにあたって、消臭剤が金属と反応するものであっても、本件発明ではそのエンボスロールを洗浄のみで対応できる。エンボスロールは適宜に洗浄されるものであるため、製造の際の手間の増加はほとんどない。もちろん、エンボスロールを耐腐食性に優れるクロムメッキ性やステンレス製のものとすればこの問題はない。
【００３７】
また、本実施形態に係るロール転写設備２５Ａ，２５Ｂは、消臭剤をアプリケーターロールを介してエンボスロールのエンボス付与凸部の頂部に消臭剤を付与するものである。また、刷版ロールを介してエンボスロールのエンボス付与凸部の頂部に消臭剤を付与することもできる。アプリケーターロールや刷版ロールへの消臭剤の付与の方式は、特に限定されない。消臭剤液溜まりからアニロックスロールへ直接に消臭剤をピックアップし、ロールで消臭剤を絞って塗布量を調整する方式、ファウンテンロールやアニロックスロールを介して刷版ロールに消臭剤を付与する方式、アニロックスロールにドクターチャンバー式に消臭剤を付与する方式が採用できる。また、フレキソ方式やグラビア方式の印刷方式としてもよい。図示の形態は、アニロックスロールにドクターチャンバー式に消臭剤を付与し、アニロックスロールからアプリケーターロールに消臭剤を適宜量付与するようにしている。
【００３８】
他方、本実施形態に係る具体的なエンボス柄、エンボス深さ、エンボス密度、エンボスを構成する個々の単位エンボスの形状、エンボス付与面積は限定されるものではない。消臭剤の効力、消臭剤液の性状、その付与量、エンボスによるデザイン性、嵩高性、柔らかさの向上性を考慮して、適宜定めることができる。好ましい例を示せば、紙面全体に、エンボス密度３０〜１００個／ｃｍ2、エンボス深さ０．２〜２．０ｍｍで付与された所謂マイクロエンボスの形態、エンボス密度で０．１〜２５個／ｃｍ2、エンボス深さ０．３〜２．５ｍｍで図柄を描くように付与されたマクロエンボス或いはデザインエンボスとも称されるエンボス形態である。なかでもマクロエンボス或いはデザインエンボスとも称されるエンボスは、頂部が広く消臭剤の付与量を多くでき、デザイン性の向上の効果も得られることから特に望ましい。
【００３９】
特に、消臭剤が設備の金属部材を腐食させる可能性があるものの場合には、エンボス深さは０．５ｍｍ以上とするのが好ましい。より、好ましい範囲は０．６ｍｍ〜１．８ｍｍ、特に好ましい範囲は０．８ｍｍ〜１．５ｍｍである。エンボスが深いほうが、消臭剤が設備部材に接触しがたくなるが、過度に深いと、肌触りが悪化する。また、エンボス密度は、８．０個／ｃｍ2〜６０個／ｃｍ2が好ましく、より好ましいのは１５個／ｃｍ2〜４０個／ｃｍ2である。さらに、一つの凸部頂部の面積は、好ましい範囲０．４〜３．０ｍｍ2 より好ましい範囲０．７〜２．０ｍｍ2である。この範囲であれば、潰れ難く消臭剤が設備部材に接触しがたいものとなる。
【００４０】
一方、本実施形態においては、消臭剤を付与するにあたっては、適宜の消臭剤をトイレットペーパー原紙に定着させるための溶媒や接着剤、インク等と混合して、付与に適した液体状やスラリー状の消臭剤液として付与することができる。消臭剤液中の、消臭剤の含有量は、固形成分として０．５〜３０重量％であるのが望ましい。この範囲であれば、十分にエンボス付与凸部を介して、トイレットペーパー原紙７１Ａ，７１Ｂに付与することができる。溶媒としては、水やアルコール類、エチレングリコール、プロピレングリコール、ブチレングリコール、イソプロピルアルコール等が例示でき、また、接着剤としては、消臭剤の効果を妨げない範囲で選択でき、例えば、カルボキシメチルセルロース、ポリビニルアルコール、澱粉、等が例示できる。
【００４１】
本発明に係る消臭剤としては、ポリフェノール系消臭剤、両性界面活性剤、クエン酸、グラフト重合体系消臭剤、ベタイン化合物系消臭剤、スギ、ヒノキ等から抽出された精油類、二酸化チタン、二酸化アルミニウム、天然ゼオライト、合成ゼオライト、活性白土、モレキュラーシーブ、シリカゲル、大谷石、酸化カルシウム、酸化マグネシウム、麦飯石、活性炭、シクロデキストリン、ジルコニウム化合物、銅化合物、イオン交換樹脂などが例示できる。これらは、一種又は二種以上を混合して使用することができる。
【００４２】
消臭剤のトイレットペーパー原紙７１Ａ，７１Ｂへの付与量は、消臭剤の種類により適宜変更することができる。上記ポリフェノール系消臭剤であれば、有効成分の固形分量で０．０００１〜１ｇ／ｍ2であり、好ましくは０．００３〜０．５ｇ／ｍ2である。
【００４３】
なお、ポリフェノール系消臭剤は、茶  柿、ブドウ等の植物及び植物の加工品から抽出されるポリフェノール、及びそのポリフェノールの誘導体を有効成分とするものであり、フェノール系水酸基による反応性により、悪臭成分の一つであるアンモニアに対して高い消臭機能を有するものの、鉄を酸化させるものであるため、本発明に係るトイレットロールの製造方法に使用するに特に適する。
【００４４】
ポリフェノール系消臭剤のなかには、アンモニアに加えて、硫化水素、メチルメルカプタン、トリメチルアミンに対して反応性を有して消臭機能を有するものも存在するが、もちろん本発明に用いるポリフェノール系消臭剤はそのようなものであってもよい。なお、ポリフェノール系消臭剤は、ポリフェノール、ポリフェノール誘導体の何れか一方に限定されるわけではなく、双方が含まれていてもよい。また、数種のポリフェノール、ポリフェノール誘導体の混合物でもよい。また、ポリフェノール系消臭剤のなかでも、特にタンニン及びその誘導体が望ましい。タンニン及びタンニン誘導体は、分子量が大きくフェノール系水酸基を多く有するため消臭機能に優れるが、タンニン酸によって鉄を酸化させやすいため、本発明に用いるポリフェノール系消臭剤としては特に望ましいものである。また、タンニンのなかでも、柿由来の柿タンニンは、分子量が非常に大きく、消臭効果に極めて優れるため、ポリフェノール系消臭剤としては、この柿タンニン及び柿タンニン誘導体の少なくとも一方を含むようにするのがよい。柿タンニンの場合の好適な付与量は、上述のとおり、固形分量で０．０００１〜１ｇ／ｍ2、好ましくは０．００３〜０．５ｇ／ｍ2である。
【００４５】
また、ラミネート糊転写ロール２８Ａによりラミネート糊を付与するのであれば、そのラミネート糊は、消臭剤の効果を妨げない範囲で選択でき、例えば、カルボキシメチルセルロース、ポリビニルアルコール、澱粉等が例示できる。なお、ラミネート糊を用いない場合には、消臭剤は接着剤を用いないで、トイレットペーパーに付与できるものとするのが望ましい。ラミネート糊、消臭剤のいずれにおいても接着剤を用いなければ、接着剤によってトイレットペーパーが硬くならず、より柔らかいトイレットペーパーとなる。
【００４６】
以上の本実施形態の消臭剤の付与態様は、ワインダーＸ２におけるログ製造工程の一連の流れのなかで行なわれるためトイレットロールの生産性を低下させることがない。
【００４７】
また、各トイレットペーパー原紙７１Ａ，７１Ｂに消臭剤が付与されてから積層されてトイレットペーパー７とされるまでの間に、トイレットペーパー原紙７１Ａ，７１Ｂの消臭剤付与面を、ワインダーＸ２を構成するガイドロール等に接触させることなくトイレットペーパー７の積層内面に位置することができる。したがって、消臭剤が鉄などの金属と少なからず反応性を有するものであっても、消臭剤の付与過程で、設備の金属部材を酸化・腐食・変色させたり、傷めたりするおそれがない。もちろん、消臭剤が付着することによる機材の洗浄の手間も低減される。
【００４８】
また、エンボス付与凸部を介して消臭剤を付与するようにしているため、例えば、印刷により全面塗布するとトイレットペーパーの風合いを著しく低下させたりすることになる消臭剤であったり、粉末系の消臭剤など、紙面への付着にバインダー成分を要し、紙面全体に印刷等により少量をムラ無く均一に付与することが難しかい消臭剤であったりしても、トイレットペーパーの地合を低下させることなく、全面に分散させて均一に付与することができる。
【００４９】
また、形成されるトイレットペーパーは、図４（ｂ）から理解されるように、消臭剤が、トイレットペーパー７の実質的な表面から奥まった凹部の底位置に付与される。図示例では、エンボス凸部２６Ａ，２６Ｂに対応する凹部底２６ａ，２６ｂの積層外面側に付与されたものを例示しているが、凹部底に消臭剤が浸透するように配されていてもよい。この位置に消臭剤が位置されることにより、積層後以降の長尺紙管３０にトイレットペーパー７を巻き付けるまでの搬送過程において、消臭剤がガイドロール等のワインダーを構成する部材に接触することが最小限に抑えられる。このため、消臭剤がポリフェノール系消臭剤のように鉄などの金属と少なからず反応性を有するものであっても、その搬送過程で、ガイドロール等の金属部材を酸化・腐食・変色させたり、傷めたりするおそれが格段に小さい。もちろん、消臭剤が付着することによる機材の洗浄の手間も低減される。また、当該消臭剤の付与位置であれば、この後にトイレットペーパー７をトイレットロールにして使用する際においても、使用時に消臭剤が肌に触れ難くなる。
【００５０】
以上のようにトイレットペーパー原紙７１Ａ，７１Ｂを積層してトイレットペーパー７を形成した後には、本実施形態では、ミシン目線形成装置８２にてミシン目線の形成を行ない、その後に、巻き取り部８５において長尺紙管３０に巻き付けて２プライのログを形成する。但し、本発明では必ずしもミシン目線形成装置及びミシン目線の付与は必須ではない。また、本実施形態において、図示はしないが、ミシン目線付与装置８２の前段に既知のコンタクトエンボス付与装置を設けてコンタクトエンボスを付与してもよい。
【００５１】
＜ログ裁断工程（Ｃ）＞
以上のように、積層内面に消臭剤が付与されたトイレットペーパー７が長尺紙管３０に巻かれたログ７５を製造したならば、図１に示すように、このログ７５を既知のログアキュームレーターＸ３で複数本をストックしつつ後段のログカッター設備Ｘ４へと移動させる。そして、その後に特に図１中（Ｃ）に示すように、既知のログカッター９１でログ７５を製品幅に裁断し、図６に示すような、個々のトイレットロール１０，１０…とする。本実施形態に係るログ７５は、その表面に消臭剤が露出されていないため、上記のとおり金属を傷めるおそれがある消臭剤を用いても、ログ形成後以降の工程においても消臭剤が製造設備を傷めるおそれがない。
【００５２】
かくして形成されたトイレットロール１０は、上記ログ形成工程の欄で説明したエンボス付与態様やトイレットペーパーに係る利点の他に、この後にこのトイレットロールからトイレットペーパーを引き出して使用する際においても、使用時に消臭剤が肌に触れ難い。そして、トイレットロール１０とした際には、トイレットペーパーを使用する毎に、トイレットロールの周面に新しいトイレットペーパーが露出されることになるため、その毎に新たな消臭剤も周面に露出されるようになるため消臭効果の持続性に優れるものとなる。
【００５３】
［トイレットロール］
次いで、本発明に係るトイレットロールの実施形態を図６及び図７を参照しながら説明する。本実施形態に係るトイレットロール１０は、長尺のトイレットペーパー１２が紙管１１に巻かれたものであり、そのトイレットペーパー１２に消臭剤が付与されているものである。この本実施形態に係るトイレットロール１０は、上記トイレットロール及びトイレットペーパーの製造方法の欄で説明した製造方法により製造することができる。トイレットペーパー原紙の構成、トイレットペーパーの素材・物性、及び他のトイレットペーパーの構造例は、上記トイレットロール及びトイレットペーパーの製造方法の欄で説明したものと同様の構成とすることができる。
【００５４】
本実施形態のトイレットペーパー１２は、複数のトイレットペーパー原紙１３が積層されたプライ構造を有しており、特に、エンボス１４が付与されている。そして、プライを構成するトイレットペーパー原紙１３のうちエンボスの付与されているものが、そのエンボス凸部頂部１４Ａの積層内面側に位置するようにして積層されている。また、エンボスが付与されたトイレットペーパー原紙１３のエンボス凸部頂部１４Ａに対応する凹部の底１４Ｂには、ポリフェノールを有効成分とする消臭剤１５が付与されており、特に、その消臭剤の有効成分の付与量が固形成分で０．０００１〜１．０ｇ/ｍ2となっている。
【００５５】
このトイレットロール１０は、その大きさ等が、幅Ｌ１が１００〜１１５ｍｍ、直径Ｌ２が１００〜１２０ｍｍ、巻き長さ（トイレットペーパーの全長）が１８〜７０ｍ、紙管内径Ｌ３が３５〜５０ｍｍであるのが望ましい。この大きさであれば一般的なトイレットロール用のペーパーホルダーが利用でき、トイレットペーパー１２の長さも十分である。
【００５６】
本発明に係るトイレットペーパー１２は、紙厚が、１００〜３５０μｍ、１プライ当り米坪が１１．０〜２５．０ｇ／ｍ2であるのが望ましい。この範囲であれば使用時の柔らかさや吸水性を確保できる。なお、本発明に係る米坪とは、ＪＩＳ Ｐ ８１２４（１９９８）の米坪測定方法によるものであり、紙厚とは、ＪＩＳ Ｐ ８１１１（１９９８）の条件下で十分に調湿した後、同条件下でダイヤルシックネスゲージ（厚み測定器）「ＰＥＡＣＯＣＫ Ｇ型」（尾崎製作所製）を用いて５回測定した平均値をいう。なお、紙厚は、複数プライのものは、その複数プライのまま測定する。
【００５７】
また、本実施形態に係るトイレットペーパー１２は、パルプ繊維を９０％以上含むものであり、好ましくは９８％以上、より好ましくは１００％である。パルプ繊維としては、ＬＢＫＰ（広葉樹クラフトパルプ）、ＮＢＫＰ（針葉樹クラフトパルプ）が最も好ましく、特にＬＢＫＰとＮＢＫＰとから構成され、ＬＢＫＰの配合割合が５０％以上、好適には７０％以上であるのがよい。
【００５８】
この本実施形態に係るトイレットロール１０では、トイレットペーパー１２に消臭剤が付与されていることから、トイレットロール１０の露出する部分の広範な範囲を占める周面１２Ａに消臭剤が位置されているため、紙管１１などの狭い範囲にのみに消臭剤が付与されているものと比較してトイレ空間内の悪臭成分との接触機会が多くなるため消臭効果に優れる。なお、本発明に係るトイレットロール１０は、紙管に消臭剤が付与されていることを否定しない。
【００５９】
また、本実施形態のトイレットロール１０は、消臭剤１５が、トイレットペーパーの実質的な表面から奥まった位置にある。すなわち、エンボス凸部に対応する凹部底１４Ｂにある。このため使用時に消臭剤が肌に触れ難い。さらに、本実施形態のトイレットロール１０は、トイレットペーパー１２を使用する毎に、トイレットロールの周面１２Ａに新しいトイレットペーパー１２が露出されることになるため、その毎に新たな消臭剤も周面に位置されるようになるため消臭効果の持続性にも優れる。
【００６０】
また、本実施形態のトイレットロール１０は、上記のトイレットロール及びトイレットペーパーの製造方法の欄で説明した製造方法により製造することができるため、上記説明の製造上の利点をも有する。
【符号の説明】
【００６１】
３１Ａ，３２Ａ…原反ロール、３１，３２…長尺の紙管原紙、５１…糊付けロール、４４…接着糊、５２…マンドレルシャフト、３…筒状部分、５８…カッター、５５…コンベア、Ｘ２…ワインダー、８２…ミシン目線形成装置、８５…巻き取り部、５３…プーリー、５４…平ベルト、９１…ログカッター、７５…ログ、７…トイレットペーパー、７１Ａ，７１Ｂ…トイレットペーパー原紙、７０Ａ，７０Ｂ…原反ロール、２１Ａ，２１Ｂ…エンボスロール、２２Ａ，２２Ｂ…受けロール、２０Ａ，２０Ｂ…エンボス付与装置、２５Ａ，２５Ｂ…転写ロール、２３…マリッジロール、２６Ａ，２６Ｂ…トイレットペーパー原紙の凸部頂部、２６ａ，２６ｂ…凹部底、１０…トイレットロール、１０Ａ…トイレットロールの周面、１１…紙管、１２…トイレットペーパー、１３…トイレットペーパー原紙、１４Ａ…エンボス凸部頂部、１４Ｂ…凹部底、１５…消臭剤、Ｌ１…ロールペーパーの幅、Ｌ２…ロールペーパーの直径、Ｌ３…紙管内径、７８…重ね合わせ部、２８Ａ…ラミネート糊転写ロール、２９…ラミネート糊。
【図１】
2014198092.tif 000003
【図２】
2014198092.tif 000004
【図３】
2014198092.tif 000005
【図４】
2014198092.tif 000006
【図５】
2014198092.tif 000007
【図６】
2014198092.tif 000008
【図７】
2014198092.tif 000009